(57)【特許請求の範囲】
【請求項１】
電力量計本体に電線を接続する電線接続部を設け、電線接続部は、独立した端子ブロックに形成されると共に電線を挿入する丸穴状の挿入口を備えた複数の端子穴と、前記挿入口から各端子穴内に挿入された電線と端子金具とを電気的に接続させる端子ねじと、各端子穴の挿入口の前方で、挿入口と挿入口の間に配置された複数の仕切壁を備え、その仕切壁と仕切壁の間に、前面と上方及び下方が開放され、端子穴の挿入口へ向かう誘導案内面を設ける一方、独立した端子ブロックに形成された前記電線接続部を電力量計本体に後付けすることを特徴とする電力量計。
【請求項２】
前記仕切壁は、後付け可能な独立した別ピースで構成されていることを特徴とする請求項１記載の電力量計。
【発明の詳細な説明】
【０００１】
【発明の属する技術分野】
この発明は、電気使用量等を計量するのに適する電力量計に関する。
【０００２】
【従来の技術】
一般に電力量計は、例えば、図８，図９に示すように電力量計本体１０１の下部に電線接続部１０３が設けられている。
【０００３】
電線接続部１０３は、下から上へ向かって電線１０５を挿入する複数の端子穴１０７と、各端子穴１０７に挿入される電線１０５と端子穴１０７に設けられた端子金具１０９とを電気的に接続させる端子ねじ１１１とを備えた構造となっている。
【０００４】
【発明が解決しようとする課題】
前記のように構成された電線接続部１０３への電線１０５の接続は、端子ねじ１１１を弛めておき、電線１０５を端子穴１０７の下から挿入した後、再び、端子ねじ１１を締付けることで接続が行なわれる。
【０００５】
本来、電力量計の配線は、作業時の短絡事故等を防止するために無通電で行なうことが望ましいが、昨今では電力需要家の利便性を考慮し、配線作業の間に停電させないようにするために、通電状態で配線を行なう無停電工法が採られる場合がある。
【０００６】
このような場合、電線１０５の被覆１１３を剥いて導体部より線１１５を露出させて挿入作業を行なう時に、端子穴１０７の挿入口は下を向いている所から、下から覗き込むようにして挿入口を確認しながら端子穴１０７へ挿入する作業となるため、時として、例えば図８に示すようにバラけた導体部より線１１５の一部が端子穴１０７に入らずに、隣の端子穴１０７に挿入された電線１０５の導体部より線１１５と接触し合い短絡事故を招く恐れがあった。
【０００７】
このため配線作業に神経を使うと共に、特に、導体部より線１１５がバラけると端子穴１０７への挿入作業がしずらくなり、作業性の面で望ましくなかった。
【０００８】
そこで、この発明は、短絡事故等を起こすことなく容易に配線作業が行なえるようにした電力量計を提供することを目的としている。
【０００９】
【課題を解決するための手段】
前記目的を達成するために、この発明の請求項１によれば、電力量計本体に電線を接続する電線接続部を設け、電線接続部は、独立した端子ブロックに形成されると共に電線を挿入する丸穴状の挿入口を備えた複数の端子穴と、前記挿入口から各端子穴内に挿入された電線と端子金具とを電気的に接続させる端子ねじと、各端子穴の挿入口の前方で、挿入口と挿入口の間に配置された複数の仕切壁を備え、その仕切壁と仕切壁の間に、前面と上方及び下方が開放され、端子穴の挿入口へ向かう誘導案内面を設ける一方、独立した端子ブロックに形成された前記電線接続部を電力量計本体に後付けすることを特徴とする。
【００１４】
これにより、電線を端子穴に挿入する時に、例えば、電線の導体部より線を上向きとして仕切壁と仕切壁の間に位置させ、そのまま上へ挿入することで、導体部より線が若干バラけていても誘導案内面によって挿入口へ向けて円滑に誘導され、端子穴内へ確実に挿入できる。このため、下から覗き込んで挿入口を確認しながらの挿入作業がなくなり、作業性の大幅な向上が図れると共に隣の端子穴へいくことなく挿入できるため短絡等の事故を未然に防げる。しかも、既設の電力量計全体を交換することなく、電線接続部のみ交換することができると共に、電力量計本体側の製造、試験設備の変更も行なわずに済むメリットが得られる。
【００１５】
また、この発明の請求項２によれば、前記仕切壁は、後付け可能な独立した別ピースで構成されていることを特徴とする。
【００１６】
これにより、既設の電力量計に対して、何等変更することなく容易に後付けすることが可能となり、短絡事故等を未然に防ぐ仕切壁が簡単に得られるようになる。
【００１７】
【発明の実施の形態】
以下、図１乃至図５の図面を参照しながらこの発明の第１の実施形態について具体的に説明する。
【００１８】
図１において、１は電力量計３の電力量本体を示している。電力量計本体１には背面から取付板５が下方へ向かって延長され、その取付板５には電線接続部７が設けられている。
【００１９】
電線接触部７は、図２，図４に示すように、合成樹脂材等の絶縁材により横長の角筒状に形成された端子ブロック９に作られていて、左右の取付けねじ１０によって取付板５に固定支持されている。端子ブロック９には、端子部１１及び端子穴１３を備えた端子金具１５が所定の間隔で配置されている。
【００２０】
端子金具１５は端子ブロック９の挿入孔１７に上方から圧入することで固着され、端子金具１５の端子部１１は端子ブロック９の上方へ突出している。端子穴１３は、上方が塞がれた上下方向の穴形状となっていて、下方となる挿入口１９は、下向きに開口しており、各挿入口１９は仕切壁２１により仕切られている。
【００２１】
なお、端子穴１３は、端子金具１５と一体の形状となっているが、端子ブロック９の挿入口１９を利用した端子穴としてもよい。
【００２２】
端子穴１３には、端子ブロック９側から螺合された上下一対の端子ねじ２３の先端部が臨み、端子ねじ２３を弛めて、先端部を端子穴１３から後退させることで、被覆２５を剥いて露出させた電線２７の導体部より線２９の挿入が可能となっている。
【００２３】
また、端子ねじ２３を締付けることで、導体部より線２９を先端部によって端子穴１３の内壁へ圧着させることで、端子金具１５と電線２７との電気的な接続が可能となっている。
【００２４】
挿入口１９を仕切る仕切壁２１は、図２，図３に示すように端子ブロック９と一体の形状に作られていて、仕切壁２１と仕切壁２１の間は、前面と上方及び下方が開放され、端子穴１３の挿入口１９へ向かう誘導案内面３１を備えた形状、例えば、テーパー
状となっている。
【００２５】
このように構成された電力量計３によれば、図４，図５に示すように、電線２７の導体部より線２９を上向きとして各仕切壁２１と仕切壁２１の間にセットした後、そのまま上昇させれば、端子穴１３内へ挿入される。
【００２６】
この場合、挿入口１９を下から覗き込んで確認する動作が不用にになると共に、導体部より線２９が若干バラけていても、仕切壁２１によって確実に仕切られると共に、誘導案内面３１によって挿入口１９へ向けて誘導案内されるため、バラけた一部の導体部より線２９が隣の挿入口１９へ行くことがなくなり、短絡事故等を未然に防げる。しかも、迅速、確実に挿入できる。
【００２７】
また、端子ブロック９に作られた電線接続部７は、後付けが可能となるため、電力量計本体１は何等変更する必要がないため既設の電力量計３に使用できる。
【００２８】
図６，図７は、仕切壁２１の後付けを可能とした第２の実施形態を示したものである。
【００２９】
即ち、各挿入口１９を仕切る仕切壁２１のみを独立した別ピース３３で形成し、それの両サイドに取付孔３５を有する取付けブラケット３７を設ける。一方、仕切壁２１と仕切壁２１の間は、前方と上方及び下方が開放され、挿入口１９へ向かう誘導案内面３９を備えた形状とするものである。
【００３０】
なお、他の構成要素は、図１と同一のため同一符号を付して詳細な説明を省略する。
【００３１】
したがって、この第２の実施形態によれば、既設の電力量計本体１に設けられた各端子穴１３の下部に仕切壁２１をセットし、取付けブラケット３７を介して取付板５に取付けることで、各挿入口１９を仕切る仕切壁２１が簡単に得られるようになる。
【００３２】
したがって、既設の電力量計１に対して、後付けすることで、簡単に仕切壁２１が得られるようになる。この結果、配線作業が容易になると共に、バラけた導体部より線２９が隣の挿入口１９へいくのが確実に阻止され、短絡事故を未然に防げるようになる。
【００３３】
【発明の効果】
以上、説明したようにこの発明の電力量計によれば、電線作業時に仕切壁によってバラけた電線の一部が隣の端子穴へいくのを確実に防止し、短絡等の事故を未然に防ぐことができる。しかも、端子穴の挿入口を下から確認しなくても端子穴へ確実に挿入することができるようになり、作業性の向上が図れる。
【００３４】
また、仕切壁を別ピースとすることで、既設の電力量計に対して何等変更を伴うことなく実施することが可能となる。
【図面の簡単な説明】
【図１】この発明にかかる電力量計の概略正面図。
【図２】電気接触部を端子ブロックで形成した概略斜視図。
【図３】図２の矢印ａ方向から見た概要底面図。
【図４】電線を仕切壁へセットする前の動作図。
【図５】電線を仕切壁へセットした動作図。
【図６】仕切壁を別ピースで形成した第２の実施形態を示した概要斜視図。
【図７】別ピースで形成した仕切壁を既設の電力量計に取付けた説明図。
【図８】電線を端子穴へ挿入する従来例の説明図。
【図９】従来例を示した図１と同様の概要正面図。
【符号の説明】
１  電力量計本体
７  電線接続部
１３  端子穴
１５  端子金具
１９  挿入口
２１  仕切壁
２３  端子ねじ
２７  電線
【図１】
0004342067.tif 000002
【図２】
0004342067.tif 000003
【図３】
0004342067.tif 000004
【図４】
0004342067.tif 000005
【図５】
0004342067.tif 000006
【図６】
0004342067.tif 000007
【図７】
0004342067.tif 000008
【図８】
0004342067.tif 000009
【図９】
0004342067.tif 000010